(57)【要約】      （修正有）【課題】特段の器具を使用せず、ごく簡単に医療用の練和物を生成することが可能な医療用練和物の生成方法および医療用練和物の生成キットを提供する。【解決手段】所定の粉体１２０と所定の液体１３０とを練和紙１１０の一方面で包み込んだ後、粉体と液体とを包んだ練和紙の他方面に力を加えることにより両者を練和する。または、紙製のカップに所定の粉体を予め入れたキットを用意し、練和物を生成する直前に、カップ内に所定の液体を注入した後、カップを外側から押し潰すことにより両者を練和する。【選択図】図１
2011010830.tif 000002
【特許請求の範囲】
【請求項１】
所定の粉体と、所定の液体と、を練和して医療用練和物を生成する医療用練和物の生成方法であって、
前記粉体と前記液体とを練和紙の一方面で包み込む第一工程と、
前記粉体と前記液体とを包んだ前記練和紙の他方面に力を加える第二工程と、
を有することを特徴とする医療用練和物の生成方法。
【請求項２】
所定の粉体と、所定の液体と、を練和して医療用練和物を生成する医療用練和物の生成方法であって、
紙製のカップに前記粉体を予め入れたキットを用意し、医療用の練和物を生成する直前に、前記カップ内に前記液体を注入し、その後に、前記紙製のカップを外側から押し潰し、繰り返し外側から加圧することにより前記粉体と前記液体とを練和することを特徴とする医療用練和物の生成方法。
【請求項３】
前記所定の粉体と前記所定の液体との組み合わせは、即時重合レジンのポリマーと即時重合レジンのモノマーとの組み合わせ、又は、加熱重合レジンのポリマーと加熱重合レジンのモノマーとの組み合わせ、であることを特徴とする請求項１又は２に記載の医療用練和物の生成方法。
【請求項４】
紙製のカップに所定の粉体を入れて、前記カップの開口部を封止したことを特徴とする医療用練和物の生成キット。
【請求項５】
別体の所定の液体をさらに有する請求項４に記載の医療用練和物の生成キット。
【請求項６】
前記所定の粉体と前記所定の液体との組み合わせは、即時重合レジンのポリマーと即時重合レジンのモノマーとの組み合わせ、又は、加熱重合レジンのポリマーと加熱重合レジンのモノマーとの組み合わせ、であることを特徴とする請求項５に記載の医療用練和物の生成キット。
【発明の詳細な説明】
【技術分野】
【０００１】
本発明は、医療用練和物の生成方法および医療用練和物の生成キットに関する。
【背景技術】
【０００２】
従来、歯科治療時に即時重合レジンを使用する場合、粉体のポリマーをシリコーン製カップに入れて、これに液体のモノマーを徐々に加えながら金属製のスパチュラで掻き混ぜることにより練和して生成していた。そして、この練和物が適当な粘度になった頃を見計らって、水やワセリンなどの分離剤をつけた手で練和物を取り出して使用していた。また、生成後のシリコーン製カップと金属スパチュラは、作業のつど、清掃して消毒していた。
【先行技術文献】
【特許文献】
【０００３】
【特許文献１】特許第３４６８８３３号公報
【発明の概要】
【発明が解決しようとする課題】
【０００４】
ところで、ポリマーとモノマーの混合比率についてはメーカーが推奨する比率があるが、従来は、混合時に計量をせずに歯科医の経験に基づいて行われる場合が多く、適正な混合比率にすることが難しかった。また、他の問題として、練和物を手で取り出す際に手に付着しやすく扱いにくい、ポリマーとモノマーを掻き混ぜる際に気泡が混入しやすい、シリコーン製カップや金属スパチュラは使用後に清掃して消毒し、再使用するために衛生面において配慮が必要である等の問題があった。また、即時重合レジン以外にも、所定の粉体と所定の液体とを練和して医療用練和物を生成する場合にも同様の問題があった。
そこで、本発明は、上記課題を解決するために、特段の器具を使用せず、ごく簡単に医療用の練和物を生成することが可能な医療用練和物の生成方法および医療用練和物の生成キットを提供することを目的とする。
【課題を解決するための手段】
【０００５】
上記課題を解決するために、本発明は、所定の粉体と、所定の液体と、を練和して医療用練和物を生成する医療用練和物の生成方法であって、前記粉体と前記液体とを練和紙の一方面で包み込む第一工程と、前記粉体と前記液体とを包んだ前記練和紙の他方面に力を加える第二工程と、を有することを特徴とする医療用練和物の生成方法を提案する。
すなわち、医療用練和物を生成するための所定の粉体と所定の液体とを、適当な量にて練和紙で包んで練和すると、練和紙が液体の余剰分を吸収することで、粉体と液体とが適正な比率で混ざり、適度な粘度を持った練和物が生成される。つまり、特段の器具を使用せずに、練和紙のみによって簡単に医療用練和物を生成することができる。
【０００６】
また、本発明は、所定の粉体と、所定の液体と、を練和して医療用練和物を生成する医療用練和物の生成方法であって、紙製のカップに前記粉体を予め入れたキットを用意し、医療用の練和物を生成する直前に、前記カップ内に前記液体を注入し、その後に、前記紙製のカップを外側から押し潰し、繰り返し外側から加圧することにより前記粉体と前記液体とを練和することを特徴とする医療用練和物の生成方法を提案する。
【０００７】
これにより、例えば、医療従事者等が、医療用練和物を生成するための所定の粉体が予め入っている紙製のカップに、所定の液体を注入し、カップを外側から手などで繰り返し握り潰すようにするだけで、カップが液体の余剰分を吸収して粉体と液体とが適正な比率で混ざるため、適度な粘度を持った医療用練和物を生成することができる。つまり、特段の器具を使用せずに簡単に医療用練和物を生成することができる。
【０００８】
また、前記所定の粉体と前記所定の液体との組み合わせは、即時重合レジンのポリマーと即時重合レジンのモノマーとの組み合わせ、又は、加熱重合レジンのポリマーと加熱重合レジンのモノマーとの組み合わせであってもよい。
これにより、即時重合レジンのポリマーと即時重合レジンのモノマーとを、又は、加熱重合レジンのポリマーと加熱重合レジンのモノマーとを、適当な量にて練和紙で包んで、又は、紙製のカップによって練和すると、練和紙又は紙製のカップが即時重合レジンのモノマー又は加熱重合レジンのモノマーの余剰分を吸収することでポリマーとモノマーとが適正な比率で混ざり、適度な粘度を持った即時重合レジン又は加熱重合レジン練和物が生成される。つまり、特段の器具を使用せず練和紙のみ、又は紙製のカップのみによって簡単に即時重合レジン又は加熱重合レジンを生成することが可能である。
【０００９】
また、本発明は、紙製のカップに所定の粉体を入れて、前記カップの開口部を封止したことを特徴とする医療用練和物の生成キットを提案する。
すなわち、粉体を入れたカップの開口部を蓋などで封止しているため、カップを傾ける等しても、カップ内部の粉体がこぼれることがない。よって、店頭でこの生成キットを販売等することが可能である。また、例えば、医療従事者等は、カップの開口部を封止している蓋等を外して、この医療用練和物の生成キットにカップ内部の粉体に対応した所定の液体を注入して、カップを外側から手などで繰り返し握り潰すようにするだけで、カップが液体の余剰分を吸収して粉体と液体とが適正な比率で混ざり、適度な粘度を持った医療用練和物を生成することができる。つまり、特段の器具を使用せずに簡単に医療用練和物を生成することができる。
【００１０】
また、医療用練和物の生成キットは、別体の所定の液体をさらに有していてもよい。
これにより、例えば、医療従事者等は、カップの開口部を封止している蓋等を外して、医療用練和物の生成キットに別体の所定の液体を注入してカップを外側から繰り返し握り潰すようにするだけで、カップが液体の余剰分を吸収して粉体と液体とが適正な比率で混ざり、適度な粘度を持った医療用練和物を生成することができる。つまり、特段の器具を使用せずに簡単に医療用練和物を生成することができる。
【００１１】
また、前記所定の粉体と前記所定の液体との組み合わせは、即時重合レジンのポリマーと即時重合レジンのモノマーとの組み合わせ、又は、加熱重合レジンのポリマーと加熱重合レジンのモノマーとの組み合わせであってもよい。
これにより、例えば、医療従事者等は、即時重合レジンのポリマー又は加熱重合レジンのポリマーが入っているカップの開口部を封止している蓋等を外して、別体の即時重合レジンのモノマー又は加熱重合レジンのモノマーを注入してカップを外側から繰り返し握り潰すようにするだけで、カップが即時重合レジンのモノマー又は加熱重合レジンのモノマーの余剰分を吸収してポリマーとモノマーとが適正な比率で混ざるため、適度な粘度を持った医療用練和物を生成することができる。つまり、特段の器具を使用せずに簡単に医療用練和物を生成することができる。
【発明の効果】
【００１２】
以上説明したように、本発明によれば、医療従事者等が練和物を生成する際に所定の粉体と所定の液体とを正確に計量しなくても、適当な量の粉体と液体とを練和紙又は紙製カップで練和することにより、練和紙又は紙製カップが液体の余剰分を吸収し、粉体と液体とが適正な比率で混ざり適度な粘度を持った練和物が生成される。つまり、特段の器具を使用せず練和紙のみ又は紙製カップのみによって簡単に医療用練和物を生成することが可能である。
【図面の簡単な説明】
【００１３】
【図１】医療用練和物の生成方法を説明する図である。
【図２】練和紙１１０の形状のバリエーションを示す図である。
【図３】生成キットの構造および医療用練和物の生成方法を示す図である。
【発明を実施するための形態】
【００１４】
以下、本発明の実施の形態について図面を参照しながら説明する。
（実施形態１）
（練和物生成方法）
図１は、本実施形態に係る医療用練和物の生成方法を示す図である。本実施形態においては、医療用練和物として歯科治療時などに用いられる即時重合レジンを生成する場合について説明する。
まず、図１（ａ）に示すように、練和紙１１０の一方の面上に、即時重合レジンのポリマーである粉体１２０を載置し、その上から即時重合レジンのモノマーである液体１３０を滴下する。次に、（ｂ）に示すように、粉体１２０と液体１３０とを練和紙１１０で包み込む。その後、（ｃ）に示すように、粉体１２０と液体１３０とを包んだ練和紙１１０を、外側から手などで握って粉体１２０と液体１３０とが混ざり合うように繰り返し加圧する。これにより、液体１３０の余剰分が練和紙１１０に吸収されて粉体１２０と液体１３０とが適正な比率で混ざって練和され、適度な粘度を持った即時重合レジンが生成される。その後、（ｄ）に示すように、練和紙１１０を開いて即時重合レジン１４０を取り出す。
【００１５】
また、本実施形態に係る医療用練和物の生成方法においては、粉体１２０と液体１３０の量は正確に計量する必要はなく、歯科治療などの医療に従事する者が、従来の方法で即時重合レジンを生成する際に、一般的に適量であると判断する量であればよい。さらには、液体１３０の粉体１２０に対する相対量が、通常よりも多めとなるようにするのが好ましい。なぜならば、本実施形態に係る医療用練和物の生成方法においては、粉体１２０と液体１３０とを適当な量で混ぜ合わせても、練和紙１１０が液体１３０の余剰分を吸収することで、粉体１２０と液体１３０とが適正な比率で混ざって適度な粘度の練和物が生成される点が特徴だからである。
【００１６】
（練和紙の形状）
次に、図２を用いて、練和紙１１０の形状について説明する。図２は、練和紙１１０の形状のバリエーションを示す図である。練和紙１１０の形状は、図１に示したような面形状である以外に、図２のような形状であってもよい。例えば、（ａ）に示すように、練和紙１１０の一方の面に粉体１２０と液体１３０とを投入するための凹形状部２１０を備えている場合には、粉体１２０と液体１３０とを練和紙１１０で包む際に、粉体１２０や液体１３０が練和紙１１０上からこぼれて損失する可能性が低くなる。
【００１７】
また、（ｂ）に示すように練和紙１１０がカップ形状になっている場合や、（ｃ）に示すように練和紙１１０が袋形状になっている場合も、同様の効果が期待できる。また、練和紙１１０が（ｂ）や（ｃ）に示すような形状である場合には、外側から手などで握り潰しやすいというメリットもある。
また、（ａ）に示すように練和紙１１０が一方の面に凹形状部２１０を備えている場合、この凹形状部２１０に適度な粉体１２０の量を示すメモリが付されていてもよい。すなわち、練和物を生成する場合には、このメモリまで粉体１２０を投入し、その後、凹形状部２１０が満たされるまで粉体１２０の上から液体１３０を注入すれば適度な粘度の練和物を生成することができるようになっていてもよい。このようなメモリが凹形状部２１０に付されていることにより、極度に多い量や少ない量の粉体１２０又は液体１３０を投入してしまう等の失敗を防ぐことができる。
【００１８】
（練和紙の性状）
上記説明したように、練和紙１１０は液体１３０の余剰分を吸収する役目を果たす。よって、練和紙１１０は粉体１２０よりも吸水速度の遅いものであることが好ましい。なぜならば、練和紙１１０が粉体１２０よりも吸水速度が速い場合には、液体１３０は粉体１２０と十分に混ざり合う前に練和紙１１０に吸水され、練和物の粘度が適切でなくなる等の問題が発生しうるからである。また、このような練和紙の例として、ティッシュペーパー等が挙げられる。
また、同様の理由により、練和紙１１０は、綿などよりも吸水速度の遅い材質である紙製であることが好ましい。練和紙１１０の吸水速度が速いと、液体１３０は粉体１２０と十分に混ざり合う前に練和紙１１０に吸水されてしまうからである。
【００１９】
（実施形態２）
（練和物生成方法）
本実施形態に係る医療用練和物の生成方法は、紙製のコップに粉体を予め入れた生成キットを使用する。図３は、生成キットの構造および本実施形態に係る医療用練和物の生成方法を示す図である。なお、本実施形態においては、医療用練和物として歯科治療時などに用いられる即時重合レジンを生成する場合について説明する。
図３（ａ）に示すように、生成キットは、紙製のカップ３１０に即時重合レジンのポリマーである粉体１２０が予め入っており、カップ３１０を傾けたりしても内部の粉体１２０が外部にこぼれないように、カップ３１０の開口部は蓋３２０で封止されている。また、生成キットは、カップ３１０と別体の容器に入れられた即時重合レジンのモノマーである液体１３０を含む。
【００２０】
そして、（ｂ）に示すように、医療用練和物を生成する場合は、カップ３１０から蓋３２０を外し、別体の容器に入れられている液体１３０をカップ３１０内に滴下する。その後、（ｃ）に示すように、粉体１２０と液体１３０とが入ったカップ３１０を、外側から手などで握って粉体１２０と液体１３０とが混ざり合うように繰り返し加圧する。これにより、液体１３０の余剰分がカップ３１０の内面に吸収されて粉体１２０と液体１３０とが適正な比率で混ざって練和され、適度な粘度を持った即時重合レジンが生成される。その後、（ｄ）に示すように、潰れたカップ３１０を開いて生成された即時重合レジン１４０を取り出す。
【００２１】
また、本実施形態に係る医療用練和物の生成方法においては、生成キットに含まれる粉体１２０と液体１３０の量は、歯科治療などの医療に従事する者が、従来の方法で即時重合レジンを生成する際に、一般的に適量であると判断する量となっていればよい。さらには、液体１３０の粉体１２０に対する相対量が、通常よりも多めとなるようにするのが好ましい。なぜならば、本実施形態に係る医療用練和物の生成方法においては、粉体１２０と液体１３０とを適当な量で混ぜ合わせても、カップ３１０が液体１３０の余剰分を吸収することで、粉体１２０と液体１３０とが適正な比率で混ざって適度な粘度の練和物が生成される点が特徴だからである。
【００２２】
（紙製カップの性状）
紙製のカップ３１０は、その内側に防水加工等がなされていないものであることを要する。なぜならば、本実施形態の医療用練和物の生成方法においては、紙製のカップ３１０が液体１３０の余剰分を吸収することで、粉体１２０と液体１３０とが適正な比率で混ざって適度な粘度の練和物が生成される点が特徴であり、そのためには、カップ３１０の内側に適度な吸水性があることが必要だからである。
（他の実施形態）
また、上記の実施形態においては、医療用練和物として即時重合レジンを生成する場合を説明したが、他の医療用練和物であってもよい。例えば、加熱重合レジン等が挙げられる。
【００２３】
（まとめ）
以上説明したように、本発明によれば、医療従事者等が練和物を生成する際に所定の粉体と所定の液体とを正確に計量しなくても、適当な量の粉体と液体とを練和紙又は紙製カップで練和することにより、練和紙又は紙製カップが液体の余剰分を吸収し、粉体と液体とが適正な比率で混ざり適度な粘度を持った練和物が生成される。つまり、特段の器具を使用せず練和紙のみ又は紙製カップのみによって簡単に医療用練和物を生成することが可能である。
【符号の説明】
【００２４】
１１０  練和紙
１２０  粉体
１３０  液体
１４０  即時重合レジン
２１０  凹形状部
３１０  紙製のカップ
３２０  蓋
【図１】
2011010830.tif 000003
【図２】
2011010830.tif 000004
【図３】
2011010830.tif 000005